(57)【特許請求の範囲】
【請求項１】
内外２重筒構造のバーナボディと、バーナボディ上に着脱自在に載置される環状のバーナキャップとを備え、バーナキャップの下面外周部に、バーナボディの外筒部上端に形成したキャップ座面に着座する環状壁が垂設され、環状壁に周方向の間隔を存して炎孔となる複数の溝が形成され、バーナキャップの内周に、バーナボディの内筒部に嵌合するシール筒が垂設され、コンロの天板上の五徳に載置する調理容器の底面に当接して当該容器の温度を検出する鍋底温度センサがシール筒の内周空間を通してバーナキャップの上方に突出すると共に、バーナキャップに周方向の間隔を存して複数の支柱が立設され、鍋底温度センサを囲う遮熱リングが該リングの下縁とバーナキャップの上面との間に隙間を生ずるようにこれら支柱に結合されたセンサ付きコンロ用バーナにおいて、
遮熱リングの外周面の周囲複数箇所に、径方向外方に突出するリブ部が形成され、バーナキャップを上下反転してバーナボディ上に載置したときに、これらリブ部がキャップ座面に当接して、シール筒の端部が五徳の上縁より上方に突出することを特徴とするセンサ付きコンロ用バーナ。
【請求項２】
前記キャップ座面は、径方向外方に向けて上方に傾斜するテーパー面に形成され、前記リブ部は、前記遮熱リングの外周面の周囲３箇所に形成され、これらリブ部のうちの１個のリブ部の径方向外方への突出量を他の２個のリブ部の径方向外方への突出量よりも大きくしたことを特徴とする請求項１記載のセンサ付きコンロ用バーナ。
【請求項３】
前記各支柱は、前記各リブ部と前記バーナキャップの上面とを結ぶように形成されることを特徴とする請求項１又は２記載のセンサ付きコンロ用バーナ。
【発明の詳細な説明】
【技術分野】
【０００１】
本発明は、コンロの天板上の五徳に載置する調理容器の底面に当接して当該容器の温度を検出する鍋底温度センサを備えるセンサ付きコンロ用バーナに関する。
【背景技術】
【０００２】
従来、この種のコンロ用バーナとして、内外２重筒構造のバーナボディと、バーナボディ上に着脱自在に載置される環状のバーナキャップとを備え、バーナキャップの下面外周部に、バーナボディの外筒部上端に形成したキャップ座面に着座する環状壁が垂設され、環状壁に周方向の間隔を存して炎孔となる複数の溝が形成され、バーナキャップの内周に、バーナボディの内筒部に嵌合するシール筒が垂設され、鍋底温度センサがシール筒の内周空間を通してバーナキャップの上方に突出するようにしたものは知られている（例えば、特許文献１参照）。
【０００３】
そして、このものでは、バーナキャップの上面内周部に周方向の間隔を存して複数の支柱を立設し、鍋底温度センサを囲う遮熱リングを該リングの下縁とバーナキャップの上面との間に隙間を生ずるように、該リングの内周面においてこれら支柱に結合している。遮熱リングを設けることで、バーナの火炎からの輻射熱が鍋底温度センサに及び難くなり、調理容器の温度を精度良く検出できるようになる。また、シール筒の内周空間からバーナキャップの上面と遮熱リングの下縁との間の隙間を介して外方に燃焼用二次空気が流れるため、遮熱リングを設けてもバーナの燃焼性が悪化することはない。
【０００４】
ところで、ユーザによっては、バーナキャップを一旦取り外して掃除した後に、バーナキャップを上下反転した状態、即ち、遮熱リングを下、シール筒を上にした状態で誤セットしてしまうことがある。ここで、遮熱リングの外径はバーナボディの外筒部上端のキャップ座面の内径よりも小さく、誤セットした場合は、遮熱リングがバーナボディ内に落ち込んで、シール筒の端部が五徳の上縁よりも下方に位置する。そのため、誤セット状態でも五徳に調理容器を載せることができ、誤セットに気付かずにバーナに点火してしまう虞がある。
【特許文献１】特開平８−１４５７４号公報（図３）
【発明の開示】
【発明が解決しようとする課題】
【０００５】
本発明は、以上の点に鑑み、バーナキャップの誤セットをユーザに気付かせることができるようにしたセンサ付きコンロ用バーナを提供することをその課題としている。
【課題を解決するための手段】
【０００６】
上記課題を解決するために、本発明は、内外２重筒構造のバーナボディと、バーナボディ上に着脱自在に載置される環状のバーナキャップとを備え、バーナキャップの下面外周部に、バーナボディの外筒部上端に形成したキャップ座面に着座する環状壁が垂設され、環状壁に周方向の間隔を存して炎孔となる複数の溝が形成され、バーナキャップの内周に、バーナボディの内筒部に嵌合するシール筒が垂設され、コンロの天板上の五徳に載置する調理容器の底面に当接して当該容器の温度を検出する鍋底温度センサがシール筒の内周空間を通してバーナキャップの上方に突出すると共に、バーナキャップに周方向の間隔を存して複数の支柱が立設され、鍋底温度センサを囲う遮熱リングがバーナキャップの上面との間に隙間を生ずるようにこれら支柱に結合されたセンサ付きコンロ用バーナにおいて、遮熱リングの外周面の周囲複数箇所に、径方向外方に突出するリブ部が形成され、バーナキャップを上下反転してバーナボディ上に載置したときに、これらリブ部がキャップ座面に当接して、シール筒の端部が五徳の上縁より上方に突出することを特徴とする。
【０００７】
本発明によれば、バーナキャップを上下反転して誤セットすると、シール筒が五徳の上縁より上方に突出するため、調理容器を五徳に載せることができなくなる。従って、ユーザにバーナヘッドの誤セットを気付かせることができる。
【０００８】
尚、誤セット状態において、バーナキャップがリブ部でキャップ座面に安定して支持されると、シール筒の上端に調理容器が載った状態で調理容器が安定に支持され、ユーザによってはそのままバーナに点火してしまう可能性がある。ここで、キャップ座面は、一般的に、混合気が炎孔から斜め上方に噴出するように、径方向外方に向かって上方に傾斜するテーパー面に形成されている。この場合、リブ部を遮熱リングの外周面の周囲３箇所に形成し、これらリブ部のうちの１個のリブ部の径方向外方への突出量を他の２個のリブ部の径方向外方への突出量よりも大きくすれば、誤セット状態において、突出量の大きな１個のリブ部がキャップ座面に突出量の小さな２個のリブ部の当接位置より高い位置で当接するため、シール筒が直立姿勢から傾く。そして、シール筒の上端に調理容器を載せると、突出量の小さな２個のリブ部が調理容器の重量を受けてキャップ座面の径方向内方（下り勾配方向）にずれ、最終的にキャップ座面から滑り落ち、シール筒が大きく傾いて、調理容器も大きく傾く。従って、ユーザにバーナキャップの誤セットを確実に気付かせることができる。
【０００９】
また、本発明において、各支柱は、各リブ部とバーナキャップの上面とを結ぶように形成されることが望ましい。これによれば、リブ部と支柱とが一体化されるため、リブ部と支柱とが分離しているものに比し、バーナキャップの形状が簡素化されて、バーナキャップの鋳造型の製作が容易になり、コストダウンを図ることができる。また、リブ部と支柱とが分離していると、誤セット状態でリブ部がキャップ座面から滑り落ちたときに、リブ部がキャップ座面の裏側に入り込んでしまう。そして、ユーザが誤セットに気付いてバーナキャップを持ち上げようとしても、リブ部がキャップ座面に引掛かって、バーナキャップを簡単には持ち上げられなくなる。これに対し、上記のものでは、誤セット状態でリブ部がキャップ座面から滑り落ちても、リブ部に連続する支柱の外縁がキャップ座面の内周縁に当接するため、リブ部はキャップ座面の裏側に入り込まない。従って、バーナキャップをキャップ座面へのリブ部に引掛かりを生ずることなく簡単に持ち上げることができる。
【発明を実施するための最良の形態】
【００１０】
図１、図２を参照して、１はガスコンロのコンロ本体（図示省略）の上面を覆う天板である。天板１には、これに開設したバーナ用開口の縁部に外周縁部で係合する環状の汁受け皿２が設けられると共に、汁受け皿２を囲うようにして五徳３が載置されている。五徳３は、環状の五徳枠３ａと、五徳枠３ａに周方向の間隔を存して取付けた複数（図示例では６個）の五徳爪３ｂとで構成されている。
【００１１】
コンロ本体には、汁受け皿２の内周空間に臨むコンロ用バーナ４が設けられており、五徳３に載置する調理容器（図示省略）がバーナ４の燃焼で加熱される。バーナ４は、内外２重筒構造のバーナボディ５と、バーナボディ５上に着脱自在に載置される環状のバーナキャップ６とを備えている。バーナボディ５は、板金製であって、混合管７が一体に形成されている。そして、混合管７の上流端にガスノズル７ａを臨ませ、ガスノズル７ａから噴出する燃料ガスと混合管７の上流端から吸引される一次空気との混合気がバーナボディ５の内筒部５１と外筒部５２との間の空間に供給されるようにしている。外筒部５２の上端には、径方向内方に折り曲げた内曲げフランジから成るキャップ座面５３が形成されている。
【００１２】
バーナキャップ６の下面外周部には、キャップ座面５３に着座する環状壁６１が垂設されている。この環状壁６１には、周方向の間隔を存して複数の溝が形成されており、キャップ座面５３とバーナキャップ６との間にこれら溝により炎孔６２が画成される。ここで、キャップ座面５３は、径方向外方に向けて上方に傾斜するテーパー面に形成されている。そのため、炎孔６２から混合気が斜め上方に噴出し、火炎の径方向外方への広がりが抑制されて、調理容器の加熱効率が向上する。また、五徳３の各五徳爪３ｂと同一方位に位置する炎孔６２の大きさを小さくし、火炎が五徳爪３ｂに触れて燃焼不良を生ずることを防止できるようにしている。
【００１３】
バーナキャップ６の内周には、バーナボディ５の内筒部５１に嵌合するシール筒６３が垂設されている。そして、シール筒６３の内周空間を通してバーナキャップ６の上方に突出する鍋底温度センサ８を設けている。鍋底温度センサ８は、バーナボディ５の下側に設けたブラケット８ａに固定される支持パイプ８ｂの上端に図外のばねで上方に付勢して取付けられている。鍋底温度センサ８の上端は、常時は五徳３の上縁より上方に位置しており、五徳３に調理容器を載置したとき、鍋底温度センサ８がその上端への調理容器の底面の当接で押下げられる。従って、鍋底温度センサ８が調理容器の底面にばねの付勢力で押し付けられ、調理容器の温度が検出される。
【００１４】
バーナキャップ６には、更に、周方向の間隔を存して複数の支柱６４が立設され、鍋底温度センサ８を囲う遮熱リング６５が該リング６５の下縁とバーナキャップ６の上面との間に隙間を生ずるようにこれら支柱６４に結合されている。遮熱リング６５を設けることで、バーナ４の火炎からの輻射熱が鍋底温度センサ８に及び難くなり、調理容器の温度の誤検知が防止される。また、シール筒６３の内周空間からバーナキャップ６の上面と遮熱リング６５の下縁との間の隙間を介して外方に燃焼用二次空気が流れる。そのため、遮熱リング６５を設けても、バーナ４の燃焼性が悪化することはない。尚、バーナキャップ６は鋳造品であり、支柱６４及び遮熱リング６５はバーナキャップ６と一体成形される。
【００１５】
また、遮熱リング６５の外周面の周囲３箇所には、径方向外方に突出する第１乃至第３のリブ部６６１，６６２，６６３が突設されている。そして、各支柱６４を、図２、図３に示す如く、これら各リブ部６６１，６６２，６６３とバーナキャップ６の上面とを結ぶように形成している。尚、遮熱リング６５の内周面に結合されるように支柱をバーナキャップ６の上面内周部に立設することも可能である。然し、これでは、リブ部６６１，６６２，６６３と支柱とが分離して、バーナキャップ６の形状が複雑になり、バーナキャップ６の鋳造型の製作に手間がかかり、型費が高くなってしまう。これに対し、本実施形態では、各リブ部６６１，６６２，６６３と各支柱６４とが一体に連続するため、バーナキャップ６の形状が簡素化されて、鋳造型の製作が容易になり、コストダウンを図ることができる。
【００１６】
リブ部６６１，６６２，６６３の上端は遮熱リング６５の上縁と同一高さである。そして、これら３個のリブ部６６１，６６２，６６３の上端部外縁に外接する円の径がバーナボディ５のキャップ座面５３の内径よりも大きくなるようにしている。そのため、バーナキャップ６を上下反転した状態、即ち、遮熱リング６５を下、シール筒６３を上にした状態でバーナボディ５上に誤セットした場合、図３（ｂ）に示す如く、リブ部６６１，６６２，６６３がキャップ座面５３に当接する。そして、リブ部６６１，６６２，６６３がキャップ座面５３に当接した状態で、シール筒６３の端部が五徳３の上縁よりも上方に突出するように、シール筒６３の長さを設定している。
【００１７】
これによれば、バーナキャップ６を上下反転して誤セットした場合、シール筒６３が邪魔になって、調理容器を五徳３に載置できなくなる。従って、ユーザにバーナヘッド６の誤セットを気付かせることができる。但し、誤セット状態において、バーナキャップ６がリブ部６６１，６６２，６６３でキャップ座面５３に安定して支持されると、シール筒６３の上端に調理容器が載った状態で調理容器が安定に支持され、ユーザによってはそのままバーナ４に点火してしまう可能性がある。
【００１８】
そこで、本実施形態では、第１リブ部６６１の径方向外方への突出量を第２、第３リブ部６６２，６６３の径方向外方への突出量よりも大きくしている。これによれば、誤セット状態において、第１リブ部６６１がキャップ座面５３に第２、第３リブ部６６２，６６３の当接位置より径方向外方にずれた位置で当接する。ここで、キャップ座面５３は径方向外方に向かって上方に傾斜しているため、第１リブ部６６１の当接位置の高さは第２、第３リブ部６６２，６６３の当接位置より高くなり、シール筒６３が直立姿勢から傾く。そして、シール筒６３の上端に調理容器を載せると、第２、第３リブ部６６２，６６３が調理容器の重量を受けてキャップ座面５３の径方向内方（下り勾配方向）にずれ、最終的にキャップ座面５３から滑り落ち、シール筒６３が大きく傾いて、調理容器も大きく傾く。従って、ユーザにバーナキャップ６の誤セットを確実に気付かせることができる。
【００１９】
また、各リブ部６６１，６６２，６６３に各支柱６４が一体に連続しているため、第２、第３リブ部６６２，６６３がキャップ座面５３から滑り落ちたときには、第２、第３リブ部６６２，６６３に連続する支柱６４の外縁がキャップ座面５３の内周縁に当接する。従って、第２、第３リブ部６６２，６６３はキャップ座面５３の裏側に入り込まず、バーナキャップ６をキャップ座面５３への第２、第３リブ部６６２，６６３の引掛かりを生ずることなく簡単に持ち上げることができる。また、キャップ座面５３の内周縁への支柱６４の当接により、シール筒６３が過度に傾くことを防止できる。従って、シール筒６３が過度に傾くことにより、鍋底温度センサ８がシール筒６３で圧迫されて損傷することを防止できる。
【００２０】
尚、第２、第３リブ部６６２，６６３の上端外縁側のコーナは、誤セット時にキャップ座面５３に対し滑り易くなるように、曲率半径の比較的大きなアール部６６ａに形成されている。また、各支柱６４及び各リブ部６６１，６６２，６６３は、図１に示す如く、五徳３の６個の五徳爪３ｂのうちの３個と同一方位に位置している。上述したように五徳爪３ｂと同一方位の炎孔６２は小さく、二次空気を然程必要としないため、シール筒６３の内周空間からバーナキャップ６の上面と遮熱リング６５との間の隙間を介して外方に向かう二次空気の流れが支柱６４により妨げられても、燃焼性に悪影響は生じない。また、径方向外方への突出量が大きな第１リブ部６６１は、点火電極９及び火炎検知用熱電対１０の配置部近傍の方位に位置している。点火電極９及び熱電対１０の配置部は、火炎が小さくて二次空気に最も余裕があり、第１リブ部６６１に連続する支柱６４がバーナキャップ６の外周近くまで延在していても、燃焼性に悪影響は生じない。
【００２１】
以上、本発明の実施形態について図面を参照して説明したが、本発明はこれに限定されない。例えば、上記実施形態では、遮熱リング６５の周囲３箇所にリブ部６６１，６６２，６６３を突設したが、遮熱リング６５の周囲２箇所にリブ部を突設することも可能である。但し、この場合には、誤セット時にバーナキャップ６が自立せず、シール筒６３が過度に傾いて鍋底温度センサ８が損傷する虞があるため、上記実施形態の方が好ましい。また、上記実施形態では、バーナボディ５に混合管７を一体成形したが、バーナボディ５に別体の混合管を接続することも可能である。
【図面の簡単な説明】
【００２２】
【図１】本発明の実施形態のバーナを備えるコンロの要部の平面図。
【図２】図１のＩＩ−ＩＩ線で切断した断面図。
【図３】（ａ）図１のＩＩＩ−ＩＩＩ線で切断した断面図、（ｂ）バーナキャップの誤セット時の断面図。
【符号の説明】
【００２３】
１天板、３…五徳、４…コンロ用バーナ、５…バーナボディ、５１…内筒部、５２…外筒部、５３…キャップ座面、６…バーナキャップ、６１…環状壁、６２…炎孔、６３…シール筒、６４…支柱、６５…遮熱リング、６６１，６６２，６６３…リブ部、８…鍋底温度センサ。
【図１】
0004817193.tif 000002
【図２】
0004817193.tif 000003
【図３】
0004817193.tif 000004